(57)【特許請求の範囲】
【請求項１】
室内側の内壁と、屋外側の外壁と、前記内壁と、前記外壁との間に防水シートとを備えた壁体に対する、室内側から住宅部材を取り付ける住宅部材取り付け方法であって、室内側より前記内壁に穿設した穴部と前記防水シートとを貫通して、中空の筒状体を該筒状体の先端部が前記外壁に近接するように挿設せしめた後、室内側より前記中空の筒状体内部に液状の接着性樹脂組成物を注入し、前記筒状体の先端部に内蔵した袋体を前記外壁に当接するように膨張せしめるとともに、前記袋体より前記接着性樹脂組成物を溢出せしめ、この溢出した前記接着性樹脂組成物及び前記中空の筒状体内に滞留する前記接着性樹脂組成物を固化せしめることにより、前記筒状体及び前記袋体を前記当接する部位で前記外壁と一体的に固化、接着する一方、前記接着性樹脂組成物固化物で充填された前記筒状体の室内側端部に前記住宅部材を取りつける方法において、前記筒状体の先端部に前記防水シートの貫通を容易にする脱離可能な穿鑿部を設ける一方、前記筒状体が、前記防水シートとを貫通して前記外壁に当接した後、前記筒状体の先端部に内蔵した前記袋体を、室内側より前記中空の筒状体内部に前記接着性樹脂組成物を注入することにより膨張せしめる際に、これにより、前記穿鑿部を前記筒状体の先端部より脱離せしめることを特徴とする住宅部材取り付け方法。
【請求項２】
前記穿鑿部が、尖頭部を有することを特徴とする請求項１記載の住宅部材取り付け方法。
【請求項３】
前記袋体が、液状の前記接着性樹脂組成物を漏出可能な部材よりなる部位を備えることを特徴とする請求項１又は請求項２に記載の住宅部材取り付け方法。
【請求項４】
請求項１乃至請求項３のいずれかに記載の住宅部材取り付け方法により室内側から壁に住宅部材を取り付けていることを特徴とする住宅部材取り付け構造。
【発明の詳細な説明】
【０００１】
【発明の属する技術分野】
本発明は、住宅部材取り付け方法及びその住宅部材取り付け方法により取り付けられる住宅部材取り付け構造に関するものである。
【０００２】
【従来の技術】
従来、室内側の内壁１と、屋外側の外壁２と、これら両者の間に防水シート３とを備えた壁体４に対して、手摺り、収納箱体等の住宅部材を、室内側から取り付ける場合には、充分な強度を確保するために、図６、図７に示すように、内壁１の内部にある間柱１３を探し出し、この間柱１３にブラケットベース（ブラケット留め付け板）１４をビス１２により固定し、このブラケットベース１４にブラケット５ｂを固定するのが通例であった。しかしながら、この方法では、内壁１の内部にあり、直接見えない間柱１３を室内側から探し出し、適正な位置でブラケットベース１４を間柱１３にビス１２にて固定するのが容易ではなく、施工の省力化の観点からは、課題を残すものであった。また、室内側の内壁１に取り付けられたブラケットベース１４の存在自体も美観の観点から望ましいものではなかった。
【０００３】
これに対して、例えば、特開２０００−４５５２５号公報に開示されるように内壁１に穴部６を開け、スポンジ製の部材１５を室内側の内壁１と、屋外側の外壁２の間の空間部に挿入し、これに、接着剤を注入、固化させ、この固化体にブラケット５ｂを取り付ける方法も知られている（図８、図９）。
【０００４】
しかし、この方法では、スポンジ製部材１５の側面が開放しているため、スポンジ製部材１５の全体にわたって充分な量の接着剤で満たすことが難しく、結果として、充分な固定強度が確保できないという問題が新たに発生することとなる。さらには、防水シート３を備えた壁体４においては、かかる防水シート３に対しても、予め、穴開け加工が必要となり、この作業を上記内壁１の穴部６を通して室内側から行なうことは、一層困難であるのみならず、防水シート３の穴部１６が、接着剤の充填のため、不可避的に大きくなり、防水シート３の防水性能そのものを損なうおそれも大きい。
【０００５】
【発明が解決しようとする課題】
本発明は、上記事由に鑑みてなされたもので、その目的とするところは、室内側の内壁と、屋外側の外壁と、これら両者の間に防水シートとを備えた壁体に対して、手摺り、収納箱体等の住宅部材を、室内側から取り付ける場合において、取り付け作業が簡単であり、間柱等の位置に制約されず、且つ充分な保持強度の確保が可能な住宅部材取り付け方法及び住宅部材取り付け構造を提供することにある。
【０００６】
【課題を解決するための手段】
上記課題を解決するために、請求項１に係る発明の住宅部材取り付け方法にあっては、室内側の内壁と、屋外側の外壁と、前記内壁と、前記外壁との間に防水シートとを備えた壁体に対する、室内側から住宅部材を取り付ける住宅部材取り付け方法であって、室内側より前記内壁に穿設した穴部と前記防水シートとを貫通して、中空の筒状体を該筒状体の先端部が前記外壁に近接するように挿設せしめた後、室内側より前記中空の筒状体内部に液状の接着性樹脂組成物を注入し、前記筒状体の先端部に内蔵した袋体を前記外壁に当接するように膨張せしめるとともに、前記袋体より前記接着性樹脂組成物を溢出せしめ、この溢出した前記接着性樹脂組成物及び前記中空の筒状体内に滞留する前記接着性樹脂組成物を固化せしめることにより、前記筒状体及び前記袋体を前記当接する部位で前記外壁と一体的に固化、接着する一方、前記接着性樹脂組成物固化物で充填された前記筒状体の室内側端部に前記住宅部材を取りつけることを特徴とするものである。
【０００７】
更に、請求項１に係る発明の住宅部材取り付け方法にあっては、上記の住宅部材取り付け方法において、前記筒状体の先端部に前記防水シートの貫通を容易にする脱離可能な穿鑿部を設ける一方、前記筒状体が、前記防水シートとを貫通して前記外壁に当接した後、前記筒状体の先端部に内蔵した前記袋体を、室内側より前記中空の筒状体内部に前記接着性樹脂組成物を注入することにより膨張せしめる際に、これにより、前記穿鑿部を前記筒状体の先端部より脱離せしめることを特徴とするものである。
【０００８】
請求項２に係る発明の住宅部材取り付け方法にあっては、請求項１記載の住宅部材取り付け方法において、前記穿鑿部が、尖頭部を有することを特徴とするものである。
【０００９】
請求項３に係る発明の住宅部材取り付け方法にあっては、請求項１又は請求項２に記載の住宅部材取り付け方法において、前記袋体が、液状の前記接着性樹脂組成物を漏出可能な部材よりなる部位を備えることを特徴とするものである。
【００１０】
請求項４に係る発明の住宅部材取り付け構造にあっては、請求項１乃至請求項３のいずれかに記載の住宅部材取り付け方法により室内側から壁に住宅部材を取り付けていることを特徴とするものである。
【００１１】
【発明の実施の形態】
以下、本発明の実施形態を図面に基づき説明する。尚、本発明に係る住宅部材取り付け方法は、下記の実施形態にのみ限定されるものではなく、本発明の要旨を逸脱しない範囲内において種々変更を加え得ることは勿論である。ここで、図１乃至図４は、本発明の住宅部材取り付け方法の概略を示すもので、図１は、接着性樹脂組成物１０を注入する前の状態を示す断面図、図２は、接着性樹脂組成物１０を注入した直後の状態を示す断面図、図３は、注入した接着性樹脂組成物１０を筒状体７、袋体９、外壁２及び防水シート３と一体的に固化、接着せしめ、接着性樹脂組成物固化物１０ａとした状態を示す断面図、図４は、接着性樹脂組成物固化物１０ａで充填された筒状体７の室内側端部７ａに住宅部材５を取りつけた状態を示す断面図である。一方、図５は、本発明の住宅部材取り付け方法により、壁体４に住宅部材５を取りつけた状態の概略を示すもので、（ａ）は、正面図、（ｂ）は、上面図である。これに対し、図６は、従来の住宅部材取り付け方法により、壁体４に住宅部材５を取りつけた状態の概略を示すもので、（ａ）は、正面図、（ｂ）は、上面図である。図７は、従来の住宅部材取り付け方法により、壁体４に住宅部材５を取りつけた状態の要部を示す概略断面図である。さらに、図８は、図６、図７と異なる従来例に係る住宅部材取り付け方法により、壁体４に住宅部材５を取りつけた状態の概略を示すもので、（ａ）は、正面図、（ｂ）は、上面図である。図９は、図６、図７と異なる従来例に係る住宅部材取り付け方法により、壁体４に住宅部材５を取りつけた状態の要部を示す概略断面図である。
【００１２】
本発明の典型的実施形態における住宅部材取り付け方法の工程の概要を説明すると以下のようになる（図１乃至図４）。
【００１３】
▲１▼室内側の内壁１と、屋外側の外壁２と、前記内壁１と、前記外壁２との間に防水シート３とを備えた壁体４に対して室内側から住宅部材５として手摺り５ａ及びブラケット５ｂをビス１２で取り付ける場合（図４参照）、室内側より内壁１に穿設した穴部６と防水シート３とを貫通して、中空の筒状体７をその先端部８が外壁２に近接するように挿設せしめる（図１）。
【００１４】
▲２▼室内側より中空の筒状体７の内部に液状の接着性樹脂組成物１０を注入し、筒状体７の先端部８に内蔵した袋体９を外壁２に当接するように接着性樹脂組成物１０の注入圧力で膨張せしめるとともに、袋体９より接着性樹脂組成物１０を溢出せしめる（図２）。この際、筒状体７の先端部８に内蔵した袋体９を、接着性樹脂組成物１０を注入する前に、予め、室内側より中空の筒状体７の内部に空気等の気体を吹き込み、その圧力で膨張せしめるようにしても良い。
【００１５】
▲３▼この溢出した接着性樹脂組成物１０及び前記中空の筒状体７内に滞留する前記接着性樹脂組成物１０を固化せしめ、接着性樹脂組成物固化物１０ａとすることにより、筒状体７及び袋体９を前記当接する部位で前記外壁２及び防水シート３と一体的に固化、接着せしめる（図３）。
【００１６】
▲４▼前記接着性樹脂組成物固化物１０ａで充填された筒状体７の室内側端部７ａに前記住宅部材５を取りつける（図４）。
【００１７】
さらに、本発明の住宅部材取り付け方法においては、筒状体７の先端部８に穿鑿部１１を設けて、防水シート３の貫通を容易にすることも可能であり、さらに、筒状体７が、防水シート３とを貫通して外壁２に当接した後、袋体９を、膨張せしめる際に、これにより、穿鑿部１１を筒状体７の先端部８より脱離せしめるようにすることもできる（図１、２）。このように、筒状体７の先端部８に、穿鑿部１１を設け、袋体９の膨張時に脱離可能に構成することにより、防水シート３の貫通が、容易に達成され、取り付け作業自体も極めて簡単であり、施工の効率化に寄与できることとなる。
【００１８】
穿鑿部１１の形状、材質等については、防水シート３の貫通を容易にし、且つ接着性樹脂組成物１０の注入時に脱離し得るものであれば、上記課題解決に寄与し得る限りにおいて、特に制約はないが、防水シート３の貫通を容易にするためには、金属製または合成樹脂製で尖頭部を有する１１ａのようなものが、好適に使用可能である。これにより、防水シート３の貫通が、極めて容易且つ確実に達成され、防水シート３の防水性能を必要以上に損なうことを防止し得ることとなる。一方、接着性樹脂組成物１０の注入時に脱離し得るためには、穿鑿部１１を筒状体７の先端部８に嵌合しておき、袋体９の膨張により、或いは、袋体９の膨張前に室内側より中空の筒状体７の内部に空気等の気体を吹き込み、その圧力により当該嵌合部から穿鑿部１１を脱離せしめ得る構造等が例示できる。
【００１９】
また、袋体９が、液状の接着性樹脂組成物１０を漏出可能な部材よりなる部位を備えることにより、確実に接着すべき部位に充分な量の接着性樹脂組成物１０を供給できることとなるが、本実施形態においては、確実に接着すべき部位としては、図２、３に示すように、接着性樹脂組成物１０の注入圧力で膨張した袋体９の外壁２に当接する部位及び防水シート３と接着する部位等が例示可能である。
【００２０】
また、漏出可能な部材よりなる部位は、袋体９の一部のみに設けても良いし、袋体９全体を漏出可能な部材よりなる部位としても良い。漏出可能な部材としては、ゴム風船、或いはゴム袋等の一部または全部に袋体９の膨張を妨げない程度の細孔を設けたもの、本来的に漏出可能な構造を有する、布、紙、不織布等の繊維系素材で構成した部材等が例示可能であるが、特にこれらに限定されるものではなく、上記課題解決に寄与し得る限りにおいて、特に制約のないことはいうまでもない。
【００２１】
中空の筒状体７の太さ、長さ、大きさ等の形状、及び材質等についても、特に制限はなく、確実に接着すべき部位に充分な量の接着性樹脂組成物１０を供給する経路としての機能を確保でき、且つ、接着性樹脂組成物１０が固化して接着性樹脂組成物固化物１０ａとなり、これで充填された後においては、袋体９、外壁２及び防水シート３と一体的に固化、接着して、住宅部材５である手摺り５ａ及びブラケット５ｂをビス１２で取り付けた際の支持部材として充分な強度を確保し得るものであれば、何ら限定されない。
【００２２】
接着性樹脂組成物１０の種類についても、特に制限はなく、筒状体７及び袋体９の当接する部位で外壁２及び防水シート３と一体的に固化、接着せしめ得るものであれば、何ら限定されないが、使用可能な具体例としては、ウレタン系接着剤等が例示できる。
【００２３】
このように、本発明の住宅部材取り付け方法によれば、図５に示すように、室内側の内壁１と、屋外側の外壁２と、これら両者の間に防水シート３とを備えた壁体４に対して、住宅部材５を、室内側から取り付ける場合においても、間柱１３等の位置に制約されず、住宅部材５を取り付ける部位を選択する自由度が大きいことに加えて、例えば、住宅部材である手摺り５ａ、ブラケット５ｂ等の充分な保持強度を確保できることとなる。
【００２４】
さらに、本発明の住宅部材取り付け方法により、室内側の内壁１と、屋外側の外壁２と、これら両者の間に防水シート３とを備えた壁体４に対して、室内側から住宅部材５を取り付けている住宅部材取り付け構造は、間柱１３等の位置に制約されず、住宅部材５を取り付ける部位を選択する自由度が大きいことに加えて、充分な保持強度の確保ができ、且つ、取り付け作業が極めて簡単であり、施工の効率化に寄与できるものであるといえる。
【００２５】
【発明の効果】
以上のように、請求項１に係る発明の住宅部材取り付け方法にあっては、室内側の内壁と、屋外側の外壁と、前記内壁と、前記外壁との間に防水シートとを備えた壁体に対する、室内側から住宅部材を取り付ける住宅部材取り付け方法であって、室内側より前記内壁に穿設した穴部と前記防水シートとを貫通して、中空の筒状体を該筒状体の先端部が前記外壁に近接するように挿設せしめた後、室内側より前記中空の筒状体内部に液状の接着性樹脂組成物を注入し、前記筒状体の先端部に内蔵した袋体を前記外壁に当接するように膨張せしめるとともに、前記袋体より前記接着性樹脂組成物を溢出せしめ、この溢出した前記接着性樹脂組成物及び前記中空の筒状体内に滞留する前記接着性樹脂組成物を固化せしめることにより、前記筒状体及び前記袋体を前記当接する部位で前記外壁と一体的に固化、接着する一方、前記接着性樹脂組成物固化物で充填された前記筒状体の室内側端部に前記住宅部材を取りつけることを特徴とするので、室内側の内壁と、屋外側の外壁と、これら両者の間に防水シートとを備えた壁体に対して、住宅部材を、室内側から取り付ける場合においても、間柱等の位置に制約されず、住宅部材を取り付ける部位を選択する自由度が大きいことに加えて、充分な保持強度の確保ができるという優れた効果を奏する。
【００２６】
更に、請求項１に係る発明の住宅部材取り付け方法にあっては、上記の住宅部材取り付け方法において、前記筒状体の先端部に前記防水シートの貫通を容易にする脱離可能な穿鑿部を設ける一方、前記筒状体が、前記防水シートとを貫通して前記外壁に当接した後、前記筒状体の先端部に内蔵した前記袋体を、室内側より前記中空の筒状体内部に前記接着性樹脂組成物を注入することにより膨張せしめる際に、これにより、前記穿鑿部を前記筒状体の先端部より脱離せしめることを特徴とするので、上記の住宅部材取り付け方法の効果に加えて、防水シートの貫通が、容易に達成され、取り付け作業自体も極めて簡単であり、施工の効率化に寄与できるという優れた効果を奏する。
【００２７】
請求項２に係る発明の住宅部材取り付け方法にあっては、請求項１記載の住宅部材取り付け方法において、前記穿鑿部が、尖頭部を有することを特徴とするので、請求項１記載の住宅部材取り付け方法の効果に加えて、防水シートの貫通が、極めて容易且つ確実に達成され、防水シートの防水性能を必要以上に損なうことを防止し得るという優れた効果を奏する。
【００２８】
請求項３に係る発明の住宅部材取り付け方法にあっては、請求項１又は請求項２に記載の住宅部材取り付け方法において、前記袋体が、液状の前記接着性樹脂組成物を漏出可能な部材よりなる部位を備えることを特徴とするので、請求項１又は請求項２に記載の住宅部材取り付け方法の効果に加えて、確実に接着すべき部位に充分な量の接着性樹脂組成物を供給できるという優れた効果を奏する。
【００２９】
請求項４に係る発明の住宅部材取り付け構造にあっては、請求項１乃至請求項３のいずれかに記載の住宅部材取り付け方法により室内側から壁に住宅部材を取り付けていることを特徴とするので、室内側の内壁と、屋外側の外壁と、これら両者の間に防水シートとを備えた壁体に対して、住宅部材を、室内側から取り付ける場合においても、間柱等の位置に制約されず、住宅部材を取り付ける部位を選択する自由度が大きいことに加えて、充分な保持強度の確保ができ、且つ、取り付け作業が極めて簡単であり、施工の効率化に寄与できるという優れた効果を奏する。
【図面の簡単な説明】
【図１】本発明の住宅部材取り付け方法の概略を示すもので、接着性樹脂組成物を注入する前の状態を示す断面図である。
【図２】本発明の住宅部材取り付け方法の概略を示すもので、接着性樹脂組成物を注入した直後の状態を示す断面図である。
【図３】本発明の住宅部材取り付け方法の概略を示すもので、注入した接着性樹脂組成物を筒状体、袋体、外壁及び防水シートと一体的に固化、接着せしめ、接着性樹脂組成物固化物とした状態を示す断面図である。
【図４】本発明の住宅部材取り付け方法の概略を示すもので、接着性樹脂組成物固化物で充填された筒状体の室内側端部に住宅部材を取りつけた状態を示す断面図である。
【図５】本発明の住宅部材取り付け方法により、壁体に住宅部材を取りつけた状態の概略を示すもので、（ａ）は、正面図、（ｂ）は、上面図である。
【図６】従来の住宅部材取り付け方法により、壁体に住宅部材を取りつけた状態の概略を示すもので、（ａ）は、正面図、（ｂ）は、上面図である。
【図７】従来の住宅部材取り付け方法により、壁体に住宅部材を取りつけた状態の要部を示す概略断面図である。
【図８】図６、図７と異なる従来例に係る住宅部材取り付け方法により、壁体に住宅部材を取りつけた状態の概略を示すもので、（ａ）は、正面図、（ｂ）は、上面図である。
【図９】図６、図７と異なる従来例に係る住宅部材取り付け方法により、壁体に住宅部材を取りつけた状態の要部を示す概略断面図である。
【符号の説明】
１    内壁
２    外壁
３    防水シート
４    壁体
５    住宅部材
５ａ  手摺り
５ｂ  ブラケット
６    穴部（内壁１）
７    筒状体
７ａ  室内側端部（筒状体７）
８    先端部（筒状体７）
９    袋体
１０    接着性樹脂組成物
１０ａ  接着性樹脂組成物固化物
１１    穿鑿部（筒状体７）
１１ａ  穿鑿部（筒状体７）
１２    ビス
１３    間柱
１４    ブラケットベース（ブラケット留め付け板）
１５    スポンジ製部材
１６    穴部（防水シート３）
【図１】
0003801070.tif 000002
【図２】
0003801070.tif 000003
【図３】
0003801070.tif 000004
【図４】
0003801070.tif 000005
【図５】
0003801070.tif 000006
【図６】
0003801070.tif 000007
【図７】
0003801070.tif 000008
【図８】
0003801070.tif 000009
【図９】
0003801070.tif 000010